(57)【要約】【課題】表示部の表示面に付着した汚れが自動的に除去されて、表示部に表示される情報や画像等を常に鮮明に見ることができるようにした折り畳み型携帯端末装置を提供する。【解決手段】表示部４を有する第１筐体６と操作部８を有する第２筐体１０が互いに回動自在に連結され、表示部４の表示面１４上を移動することにより表示面１４に付着した汚れを除去する清掃部材３８と、清掃部材３８の移動動作を第１筐体６と第２筐体１０の回動動作に連動させる連動機構７０とを備えて、連動機構７０の一部に表示面１４と平行に配置されるベルト伝動機構７８が用いられると共に、清掃部材３８がこのベルト伝動機構７８のベルト材９８に固定されるようにした。【選択図】      図３
2005045484.tif 000002
【特許請求の範囲】
【請求項１】
表示部を有する第１筐体と操作部を有する第２筐体が互いに回動自在に連結され、
前記表示部の表示面上を移動することにより表示面に付着した汚れを除去する清掃部材と、
前記清掃部材の移動動作を前記第１筐体と前記第２筐体の回動動作に連動させる連動機構とを備えて、
前記連動機構の一部に前記表示面と平行に配置されるベルト伝動機構が用いられると共に、前記清掃部材がこのベルト伝動機構のベルト材に固定されるようにしたことを特徴とする折り畳み型携帯端末装置。
【請求項２】
前記清掃部材が、前記ベルト伝動機構のベルト材に固着された清掃部材取付け具に着脱自在に取付けられるようにした請求項１に記載の折り畳み型携帯端末装置。
【請求項３】
前記連動機構の一部に、前記第１筐体と前記第２筐体の回動動作の中心軸上に配置されて第２筐体に固定される第１の歯車と、この第１の歯車に噛合うように第１筐体内に回転自在に支持される第２の歯車とが用いられるようにした請求項１又は請求項２に記載の折り畳み型携帯端末装置。
【請求項４】
前記連動機構の一部に、前記第２の歯車の回転駆動を増速して伝達する歯車列が用いられるようにした請求項３に記載の折り畳み型携帯端末装置。
【請求項５】
前記第１の歯車が欠け歯歯車であって、回動動作により前記第１筐体と前記第２筐体を開いた状態にしたときに前記第１の歯車と第２の歯車の噛合いが外れて前記清掃部材を手動により動かすことができるようにした請求項３又は請求項４に記載の折り畳み型携帯端末装置。
【発明の詳細な説明】
【０００１】
【発明の属する技術分野】
本発明は、表示部を有する折り畳み型携帯端末装置に関し、詳しくは表示部の表示面に付着した汚れを除去するための清掃部材を備える折り畳み型携帯端末装置に関するものである。
【０００２】
【従来の技術】
従来の折り畳み型携帯端末装置において、２つの筐体の回動動作に連動するリンク機構を内蔵することにより、操作部の各キーの高さが切替わるようにした折り畳み型携帯電話機があった（例えば、特許文献１参照）。
【０００３】
図６に示すように、この折り畳み型携帯電話機２は、ＬＣＤ（液晶ディスプレイ）等の表示部４を有する第１筐体６と操作部８を有する第２筐体１０がヒンジ構造の連結部１２を介して回動自在に連結されて、第１筐体６と第２筐体１０を閉じたときに、表示部４の表示面１４と第２筐体１０における操作部８の配置される操作面１６が向き合うようになっていた。
【０００４】
そして、この折り畳み型携帯電話機２は、図６中に示されているように、第１筐体６と第２筐体１０を開いた状態のときには操作部８の各キーが操作面１６から若干突出するようになっているが、内蔵する不図示のリンク機構によって、第１筐体６と第２筐体１０を閉じたときには、操作部８の各キーが第２筐体１０の操作面１６よりも内部側に沈み込むようになっている。
【０００５】
そのため、第１筐体６と第２筐体１０を閉じたときに、第１筐体６の表示面１４が第２筐体１０の操作部８の各キーに接触しないようになっているので、表示面１４に操作部８の各キーに付着していた汚れが二次的に付着したり、表示面１４に各キーが擦付けられて傷が付いたりすることを防止することができるようになっていた。
【０００６】
【特許文献１】
特開２００３−３７６５７号公報
【０００７】
【発明が解決しようとする課題】
しかしながら、前記特許文献１のような折り畳み型携帯電話機２では、第１筐体６と第２筐体１０を閉じたときに操作部８から表示面１４に汚れが付着すること等を防止することはできるが、操作部８以外から表示面１４に汚れが付着した場合には、他の従来の携帯端末装置と同様に、ユーザー自身が布材等により拭き取らなければならないという問題があった。
【０００８】
そこで本発明は、上記問題点に鑑みて、表示部の表示面に付着した汚れが自動的に除去されて、表示部に表示される情報や画像等を常に鮮明に見ることができるようにした折り畳み型携帯端末装置を提供することを課題とするものである。
【０００９】
【課題を解決するための手段】
上記課題を解決するために、本発明による折り畳み型携帯端末装置は、
表示部を有する第１筐体と操作部を有する第２筐体が互いに回動自在に連結され、
前記表示部の表示面上を移動することにより表示面に付着した汚れを除去する清掃部材と、
前記清掃部材の移動動作を前記第１筐体と前記第２筐体の回動動作に連動させる連動機構とを備えて、
前記連動機構の一部に前記表示面と平行に配置されるベルト伝動機構が用いられると共に、前記清掃部材がこのベルト伝動機構のベルト材に固定されるようにしたことを特徴とするものである。
【００１０】
また、本発明による折り畳み型携帯端末装置は、前記清掃部材が、前記ベルト伝動機構のベルト材に固着された清掃部材取付け具に着脱自在に取付けられるようにすることができる。
【００１１】
また、本発明による折り畳み型携帯端末装置は、前記連動機構の一部に、前記第１筐体と前記第２筐体の回動動作の中心軸上に配置されて第２筐体に固定される第１の歯車と、この第１の歯車に噛合うように第１筐体内に回転自在に支持される第２の歯車とが用いられるようにすることができる。
【００１２】
また、本発明による折り畳み型携帯端末装置は、前記連動機構の一部に、前記第２の歯車の回転駆動を増速して伝達する歯車列が用いられるようにすることができる。
【００１３】
また、本発明による折り畳み型携帯端末装置は、前記第１の歯車が欠け歯歯車であって、回動動作により前記第１筐体と前記第２筐体を開いた状態にしたときに前記第１の歯車と第２の歯車の噛合いが外れて前記清掃部材を手動により動かすことができるようにすることができる。
【００１４】
【発明の実施の形態】
以下、本発明に係る折り畳み型携帯端末装置の実施の形態について、図面に基づいて具体的に説明する。
【００１５】
図１ないし図５は、本発明の一実施の形態に係る折り畳み型携帯電話機３０（折り畳み型携帯端末装置に相当）について説明するために参照する図である。これらの図に示す折り畳み型携帯電話機３０は、従来の折り畳み型携帯電話機２と同様の部分には同じ符号を付して説明し、従来と同様の構成についての重複する説明は省略するものとする。
【００１６】
図１に示すように、折り畳み型携帯電話機３０の第１筐体６には、この第１筐体６と第２筐体１０を閉じた状態にしたときに第２筐体１０の操作面１６と対向する内側面３２に矩形の凹部３４が形成されていて、この凹部３４の底面３６はその縁の部分を除いた中央の部分が表示面１４（表示部）になっている。
【００１７】
凹部３４内には、表示面１４の幅とほぼ同じ寸法の長さを有するる略角棒形状の清掃部材３８が備えられるようになっている。この清掃部材３８は、図示しないが、少なくとも表示面１４に接触する面に汚れを拭き取ることができる布材が貼り付けられている。
【００１８】
また、この清掃部材３８は、その長さ方向が第１筐体６の幅方向と平行に向けられて、その両方の端部が清掃部材取付け具４２に着脱自在に取付けられる。そのため、清掃部材３８は、使用により汚れを拭き取る機能が低下してきたときに交換することができるようになっている。
【００１９】
図２は、清掃部材３８、清掃部材取付け具４２、及び後述するベルト伝動機構７８のベルト材９８の構造を示す図であるが、図２中においてこれらの近傍の他の構成要素は省略する。図２中に示されているように、清掃部材取付け具４２は、Ｌ字型部材４４、ピン部材４６及び固定部材４８により構成されている。
【００２０】
Ｌ字型部材４４はＬ字型の断面形状が一定の厚さを有して、その「Ｌ」字の横棒に相当する顎部５０の底面が第１筐体６における凹部３４の底面３６に当接し、この顎部５０における底面とは反対側の面に長さ方向が垂直となるようにピン部材４６が固定される。そして、Ｌ字型部材４４は、固定部材４８を介して表示面１４と平行に配置されるベルト材９８の外周上に固定されるようになっている。
【００２１】
また、清掃部材３８の両方の端部には、清掃部材取付け具４２のピン部材４６を挿し込むための孔部５２が形成されると共に、Ｌ字型部材４４の顎部５０の厚さに対応して切欠き部５４が形成されている。したがって、清掃部材３８は、その孔部５２を清掃部材取付け具４２のピン部材４６に挿し込んだり外したりすることにより、着脱自在になっている。
【００２２】
また、図１に示すように、凹部３４における表示面１４の長さ方向と平行の両側の側壁５６には、それぞれ表示面１４と平行に案内溝５８が形成されており、図２に示すように、第１筐体６の内部においてベルト材９８に固着された清掃部材取付け具４２の固定部材４８のアーム６０が、案内溝５８（図２中においては不図示）から凹部３４の内側に突出してＬ字型部材４４を固定するようになっている。
【００２３】
次に、図３に示すように、折り畳み型携帯電話機３０の第１筐体６は、清掃部材３８が表示面１４上を移動するようにするために、清掃部材取付け具４２及びベルト伝動機構７８を含む連動機構７０を備えるようになっている。
【００２４】
連動機構７０は、表示面１４を挟んで左右対称となるように配置される。それぞれの連動機構７０は、軸部材７２を介して第２筐体１０に固定される第１の歯車７４、この第１の歯車７４に噛合う第２の歯車７６、清掃部材取付け具４２を移動させるためのベルト伝動機構７８、及び第２の歯車７６の回転駆動をベルト伝動機構７８に伝達する歯車列８０を備えて構成される。歯車列８０は、歯車８２と歯車８４により構成されるようになっている。
【００２５】
第１の歯車７４は、その軸線が第１筐体６と第２筐体１０の回動動作の中心軸と一致するように連結部１２の第１筐体６側の内部に配置されて、この第１の歯車７４と同一軸線上に配置される軸部材７２の一方の端部８６に回転しないように固定される。そして、軸部材７２は、一方の端部８６とは反対側の他方の端部８８が、キー部材９０により回転しないように連結部１２内の第２筐体１０側に固定されている。
【００２６】
また、図４に示すように、第１の歯車７４は、略扇形状に形成されていて、略扇形状の円弧の範囲にのみ歯車の歯が形成される欠け歯歯車になっている。第１筐体６を第２筐体１０に対して回動させたときには、第１の歯車７４は軸部材７２を介して第２筐体１０側に固定されているので、第１筐体６に対して相対的に逆方向に回動するようになっている。
【００２７】
第２の歯車７６は、小径歯車９２と大径歯車９４が一体的に形成されたものであって、第１筐体６内で回転自在に支持される軸部材９６に固定されている。第２歯車７６は、その小径歯車９２が第１の歯車７４と噛合うようになっているが、図４中に示されているように、第１筐体６と第２筐体１０を開き切った状態にしたときには、第１の歯車７４が欠け歯歯車であるために、第１の歯車７４と第２の歯車７６の噛合いは外れるようになっている。
【００２８】
そして、第１筐体６を第２筐体１０に対して閉じる方向に回動させていくと、所定の角度で第１の歯車７４と第２の歯車７６が噛合うようになっていることにより、第１筐体６の回動動作に連動して第２の歯車７６が回転するようになっている。
【００２９】
ベルト伝動機構７８は、ベルト材９８及びプーリー１００，１０２により構成される。ベルト材９８は、表示面１４の長さ方向と平行となるようにプーリー１００，１０２に掛けられて、プーリー１００，１０２のそれぞれは、第１筐体６内で回転自在に支持される軸部材１０４，１０６に固定されるようになっている。
【００３０】
また、図２に示すように、ベルト材９８の外周には、清掃部材３８を着脱自在に取付けるための清掃部材取付け具４２が固着されており、ベルト材９８の外周のその他の部分には歯車列８０の歯車８４と噛合うようにするための歯型が形成されるようになっている。
【００３１】
図４に示すように、歯車列８０の歯車８２は、小径歯車１０８と大径歯車１１０が一体的に形成されて、第１筐体６内で回転自在に支持される軸部材１１２に固定されている。歯車８２の小径歯車１０８は第２の歯車７６の大径歯車９４と噛合うようになっており、また、歯車８２の大径歯車１１０は歯車８４と噛合うようになっている。そして、歯車８４は、第１筐体６内で回転自在に支持される軸部材１１４に固定されて、歯車８２からベルト伝動機構７８に回転駆動を伝達するようになっている。そのため、第２の歯車７６の回転駆動は、歯車列８０により増速されてベルト伝動機構７８に伝達されるようになっている。
【００３２】
折り畳み型携帯電話機３０は、このような連動機構７０を備えているので、以下に説明するように、清掃部材３８の移動動作を第１筐体６と第２筐体１０の回動動作に連動させて、又は清掃部材３８を手動で移動させることにより、表示面１４に付着した汚れを拭き取ることができるようになっている。
【００３３】
図４中に示すように、第１筐体６と第２筐体１０を開き切った状態では第１の歯車７４と第２の歯車７６の噛合いは外れているが、第１筐体６を閉じる方向に所定の角度まで回動させたときから第１の歯車７４と第２の歯車７６は噛合うようになる。このように、第１の歯車７４と第２の歯車７６が噛合った状態からさらに第１筐体６を回動させると、第２の歯車７６は、第１の歯車７４との噛合いにより回転するようになっている。
【００３４】
そして、第２の歯車７６の回転駆動は歯車列８０を介してベルト伝動機構７８に伝達されるので、表示面１４上において連結部１２寄りの位置にあった清掃部材３８は、第１筐体６の回動動作に連動して連結部１２から離れる方向に移動するようになっている。
【００３５】
図５に示すように、第１筐体６を回動させて閉じた状態にすると、清掃部材３８は表示面１４上において連結部１２から最も離れた位置まで移動して停止する。したがって、折り畳み型携帯電話機３０は、清掃部材３８が第１筐体６の回動動作に連動して表示面１４上を移動することにより、表示面１４上に付着した汚れを拭き取って除去することができるようになっている。
【００３６】
また、第１筐体６と第２筐体１０を閉じた状態から、第１筐体６を第２筐体１０に対して開く方向に回動させると、清掃部材３８はこの回動動作に連動して、表示面１４上において連結部１２から最も離れた位置から近付く方向に移動していく。そして、第１筐体６と第２筐体１０を開き切ると、図４に示すように、清掃部材３８は表示面１４上において連結部１２に最も近い位置まで移動して停止するようになっている。
【００３７】
また、図４中に示すように、第１筐体６と第２筐体１０を開いた状態にしたときには、第１の歯車７４と第２の歯車７６の噛合いは外れているので、第１筐体６を第２筐体１０に対して回動させなくても、手動により清掃部材３８を表示面１４上で第１筐体６の長さ方向に移動させることにより、表示面１４上の汚れを拭き取ることができるようになっている。
【００３８】
また、仮にユーザーが清掃部材３８を手動により移動させて表示面１４に付着した汚れを拭き取った後、連結部１２寄りの元の位置に戻すのを忘れたまま、第１筐体６と第２筐体１０を閉じようとすると、第１筐体６の回動動作に連動して移動する清掃部材３８が、第１筐体６と第２筐体１０を完全に閉じきる前に表示面１４上の連結部１２から最も離れた位置に達して停止してしまうので、ベルト伝動機構７８、歯車列８０、及び第２の歯車７６が動かなくなって第１筐体６を回動させることができなくなるため、ユーザーは清掃部材３８を元の位置に戻すことを忘れていたことに気付くことができる。
【００３９】
したがって、ユーザーは、必ず清掃部材３８を表示面１４上の連結部１２寄りの位置に戻すようにするため、第１筐体６と第２筐体１０を回動させる操作を行なったときには、常に清掃部材３８が表示面１４の全面を移動して付着した汚れを拭き取るので、拭き取り残しがないようにすることができる。
【００４０】
このような折り畳み型携帯電話機３０によれば、第１筐体６と第２筐体１０の回動動作に連動する清掃部材３８により表示部４の表示面１４に付着した汚れが自動的に除去されるので、表示部４に表示される情報や画像等を常に鮮明に見ることができる。
【００４１】
また、第１筐体６と第２筐体１０を回動させる操作を行なわずに、手動により清掃部材３８だけを表示面１４上で移動させることができるので、ユーザーが表示面１４上の汚れに気が付いたときには直ちにこれを拭き取ることができる。
【００４２】
また、第１筐体６と第２筐体１０の回動動作に連動して表示面１４に付着した汚れを拭き取る清掃部材３８の動作は、常に表示面１４の全面に対して行なわれるようにすることができる。
【００４３】
なお、本実施の形態においては、本発明を折り畳み型携帯電話機３０に適用した場合について説明したが、ＰＤＡ（Ｐｅｒｓｏｎａｌ  Ｄｉｇｉｔａｌ  Ａｓｓｉｓｔａｎｔ）のような他の折り畳み型携帯端末装置にも、同様の技術的思想に基づいて本発明を適用することができることはいうまでもない。
【００４４】
【発明の効果】
以上説明したように、本発明の折り畳み型携帯端末装置によれば、２つの筐体の回動動作に連動する清掃部材により表示部の表示面に付着した汚れが自動的に除去されるので、表示部に表示される情報や画像等を常に鮮明に見ることができる。
【図面の簡単な説明】
【図１】本発明の一実施の形態に係る折り畳み型携帯電話機３０の斜視図である。
【図２】図１における折り畳み型携帯電話機３０が備える清掃部材３８、清掃部材取付け具４２、及びベルト材９８を示す拡大斜視図である。
【図３】図１における折り畳み型携帯電話機３０の拡大平面透視図である。
【図４】図１における折り畳み型携帯電話機３０の第１筐体６と第２筐体１０を開いた状態にしたときの側面透視図である。
【図５】図１における折り畳み型携帯電話機３０の第１筐体６と第２筐体１０を閉じた状態にしたときの側面透視図である。
【図６】従来の折り畳み型携帯電話機２の斜視図である。
【符号の説明】
２  折り畳み型携帯電話機
４  表示部
６  第１筐体
８  操作部
１０  第２筐体
１２  連結部
１４  表示面
１６  操作面
３０  折り畳み型携帯電話機
３２  内側面
３４  凹部
３６  底面
３８  清掃部材
４２  清掃部材取付け具
４４  Ｌ字型部材
４６  ピン部材
４８  固定部材
５０  顎部
５２  孔部
５４  切欠き部
５６  側壁
５８  案内溝
６０  アーム
７０  連動機構
７２  軸部材
７４  第１の歯車
７６  第２の歯車
７８  ベルト伝動機構
８０  歯車列
８２，８４  歯車
８６，８８  端部
９０  キー部材
９２  小径歯車
９４  大径歯車
９６  軸部材
９８  ベルト材
１００，１０２  プーリー
１０４，１０６  軸部材
１０８  小径歯車
１１０  大径歯車
１１２，１１４  軸部材
【図１】
2005045484.tif 000003
【図２】
2005045484.tif 000004
【図３】
2005045484.tif 000005
【図４】
2005045484.tif 000006
【図５】
2005045484.tif 000007
【図６】
2005045484.tif 000008